【手続補正書】
【提出日】平成17年9月30日(2005.9.30)
【手続補正１】
【補正対象書類名】明細書
【補正対象項目名】発明の名称
【補正方法】変更
【補正の内容】
【発明の名称】データ処理装置、データ処理方法、および記録媒体
【手続補正２】
【補正対象書類名】明細書
【補正対象項目名】特許請求の範囲
【補正方法】変更
【補正の内容】
【特許請求の範囲】
【請求項１】  入力データを処理すると共に、処理された前記データを出力データとして出力するデータ処理装置において、
前記入力データ、及び前記入力データに対する前記出力データを評価し、前記評価に基づき、前記出力データが時間の経過とともに改善されるように前記入力データを処理する処理方式を実時間で学習する実時間学習手段と、
前記実時間学習手段が学習した前記処理方式に従って、前記入力データを適応的に処理し、前記出力データを出力するデータ処理手段と
を有する第１の処理手段と、
前記第１の処理手段が処理した前記入力データである注目入力データより時間的に先行する前記入力データである先行入力データを、前記注目入力データに対する前記出力データである注目出力データ、及び前記注目出力データに対する前記評価に基づいて処理することにより、前記先行入力データに対する前記出力データである前記先行出力データを出力する第２の処理手段と
を備えるデータ処理装置。
【請求項２】  時系列に入力される前記入力データを所定数のみ記憶する入力データ記憶手段
をさらに備える請求項１に記載のデータ処理装置。
【請求項３】  前記実時間学習手段は、前記入力データ記憶手段に記憶された前記所定数の前記入力データより分散を演算し、前記分散に基づいて現在の入力データを評価する
請求項２に記載のデータ処理装置。
【請求項４】  前記実時間学習手段は、前記入力データ記憶手段に記憶された前記所定数の前記入力データより平均を演算し、前記各入力データの平均値に対する誤差に基づいて、現在の入力データを評価する
請求項２に記載のデータ処理装置。
【請求項５】  前記実時間学習手段は、前記入力データ記憶手段に記憶された前記所定数の前記入力データより分散及び平均値を演算し、前記各入力データの平均値に対する誤差を求め、前記分散及び前記誤差に基づいて、現在の入力データを評価する
請求項２に記載のデータ処理装置。
【請求項６】  前記実時間学習手段は、前記入力データの評価と、前記出力するデータの評価との加算値に基づいて、現在の前記出力データを評価する
請求項１に記載のデータ処理装置。
【請求項７】  前記データ処理手段は、前記出力データと、現在の前記入力データとを加算することにより、現在の前記入力データに対する出力データを求める
請求項１に記載のデータ処理装置。
【請求項８】  前記実時間学習手段は、前記入力データの評価と、前記出力データの評価とに基づいて、所定の重み係数を学習し、
前記データ処理手段は、前記重み係数に基づいて、現在の前記入力データに対する前記出力データを求める
請求項７に記載のデータ処理装置。
【請求項９】  前記第２の処理手段は、
前記先行入力データを評価すると共に、前記注目出力データの評価に基づいて、前記先行出力データを評価し、前記評価に基づき前記先行出力データが時間の経過と共に改善されるように、前記先行入力データを処理する処理方式を、実時間で学習するfurther実時間学習手段と、
前記further実時間学習手段が学習した前記処理方式に従って、前記先行入力データを適応的に処理し、前記先行出力データを出力するfurtherデータ処理手段と
を備える請求項１に記載のデータ処理装置。
【請求項１０】  入力データを処理すると共に、処理された前記データを出力データとして出力するデータ処理方法において、
前記入力データ、及び前記入力データに対する前記出力データを評価し、前記評価に基づき、前記出力データが時間の経過とともに改善されるように前記入力データを処理する処理方式を実時間で学習する実時間学習ステップと、
前記実時間学習ステップの処理で学習された前記処理方式に従って、前記入力データを適応的に処理し、前記出力データを出力するデータ処理ステップと
を含む第１の処理ステップと、
前記第１の処理ステップの処理で処理された前記入力データである注目入力データより時間的に先行する前記入力データである先行入力データを、前記注目入力データに対する前記出力データである注目出力データ、及び前記注目出力データに対する前記評価に基づいて処理することにより、前記先行入力データに対する前記出力データである前記先行出力データを出力する第２の処理ステップと
を含むデータ処理方法。
【請求項１１】  時系列に入力される前記入力データを所定数のみ記憶する入力データ記憶ステップを
さらに含む請求項１０に記載のデータ処理方法。
【請求項１２】  前記実時間学習ステップは、前記入力データ記憶ステップの処理で記憶された前記所定数の前記入力データより分散を演算し、前記分散に基づいて現在の入力データを評価する
請求項１１に記載のデータ処理方法。
【請求項１３】  前記実時間学習ステップは、前記入力データ記憶ステップにおいて記憶された前記所定数の前記入力データより平均を演算し、前記各入力データの平均値に対する誤差に基づいて、現在の入力データを評価する
請求項１１に記載のデータ処理方法。
【請求項１４】  前記実時間学習ステップは、前記入力データ記憶ステップに記憶された前記所定数の前記入力データより分散及び平均値を演算し、前記各入力データの平均値に対する誤差を求め、前記分散及び前記誤差に基づいて、現在の入力データを評価する
請求項１１に記載のデータ処理方法。
【請求項１５】  前記実時間学習ステップは、前記入力データの評価と、前記出力するデータの評価との加算値に基づいて、現在の前記出力データを評価する
請求項１０に記載のデータ処理方法。
【請求項１６】  前記データ処理ステップは、前記出力データと、現在の前記入力データとを加算することにより、現在の前記入力データに対する出力データを求める
請求項１０に記載のデータ処理方法。
【請求項１７】  前記実時間学習ステップは、前記入力データの評価と、前記出力データの評価とに基づいて、所定の重み係数を学習し、
前記データ処理ステップは、前記重み係数に基づいて、現在の前記入力データに対する前記出力データを求める
請求項１６に記載のデータ処理方法。
【請求項１８】  前記第２の処理ステップは、
前記先行入力データを評価すると共に、前記注目出力データの評価に基づいて、前記先行出力データを評価し、前記評価に基づき前記先行出力データが時間の経過と共に改善されるように、前記先行入力データを処理する処理方式を、実時間で学習するfurther実時間学習ステップと、
前記他の実時間学習ステップにおいて学習した前記処理方式に従って、前記先行入力データを適応的に処理し、前記先行出力データを出力するfurtherデータ処理ステップと
を含む請求項１０に記載のデータ処理方法。
【請求項１９】入力データを処理すると共に、処理された前記データを出力データとして出力するための処理を、コンピュータに実行させるプログラムが記憶される記憶媒体において、
前記入力データ、及び前記入力データに対する前記出力データを評価し、前記評価に基づき、前記出力データが時間の経過とともに改善されるように前記入力データを処理する処理方式を実時間で学習する実時間学習ステップと、
前記実時間学習ステップの処理で学習された前記処理方式に従って、前記入力データを適応的に処理し、前記出力データを出力するデータ処理ステップと
を含む第１の処理ステップと、
前記第１の処理ステップの処理で処理された前記入力データである注目入力データより時間的に先行する前記入力データである先行入力データを、前記注目入力データに対する前記出力データである注目出力データ、及び前記注目出力データに対する前記評価に基づいて処理することにより、前記先行入力データに対する前記出力データである前記先行出力データを出力する第２の処理ステップと
を含むプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、データ処理装置、データ処理方法、および記録媒体に関し、特に、例えば、データに含まれるノイズの除去を、より効果的に行うことができるようにするデータ処理装置、データ処理方法、および記録媒体に関する。
【手続補正４】
【補正対象書類名】明細書
【補正対象項目名】０００６
【補正方法】変更
【補正の内容】
【０００６】
【課題を解決するための手段】
本発明のデータ処理装置は、入力データ、及び入力データに対する出力データを評価し、評価に基づき、出力データが時間の経過とともに改善されるように入力データを処理する処理方式を実時間で学習する実時間学習手段と、実時間学習手段が学習した処理方式に従って、入力データを適応的に処理し、出力データを出力するデータ処理手段とを有する第１の処理手段と、第１の処理手段が処理した入力データである注目入力データより時間的に先行する入力データである先行入力データを、注目入力データに対する出力データである注目出力データ、及び注目出力データに対する評価に基づいて処理することにより、先行入力データに対する出力データである先行出力データを出力する第２の処理手段とを備える。
【手続補正５】
【補正対象書類名】明細書
【補正対象項目名】０００７
【補正方法】変更
【補正の内容】
【０００７】
本発明のデータ処理方法は、入力データ、及び入力データに対する出力データを評価し、評価に基づき、出力データが時間の経過とともに改善されるように入力データを処理する処理方式を実時間で学習する実時間学習ステップと、実時間学習ステップの処理で学習された処理方式に従って、入力データを適応的に処理し、出力データを出力するデータ処理ステップとを含む第１の処理ステップと、第１の処理ステップの処理で処理された入力データである注目入力データより時間的に先行する入力データである先行入力データを、注目入力データに対する出力データである注目出力データ、及び注目出力データに対する評価に基づいて処理することにより、先行入力データに対する出力データである先行出力データを出力する第２の処理ステップとを含む。
【手続補正６】
【補正対象書類名】明細書
【補正対象項目名】０００８
【補正方法】変更
【補正の内容】
【０００８】
本発明の記録媒体のプログラムは、入力データ、及び入力データに対する出力データを評価し、評価に基づき、出力データが時間の経過とともに改善されるように入力データを処理する処理方式を実時間で学習する実時間学習ステップと、実時間学習ステップの処理で学習された処理方式に従って、入力データを適応的に処理し、出力データを出力するデータ処理ステップとを含む第１の処理ステップと、第１の処理ステップの処理で処理された入力データである注目入力データより時間的に先行する入力データである先行入力データを、注目入力データに対する出力データである注目出力データ、及び注目出力データに対する評価に基づいて処理することにより、先行入力データに対する出力データである先行出力データを出力する第２の処理ステップとを含む。
【手続補正７】
【補正対象書類名】明細書
【補正対象項目名】０００９
【補正方法】変更
【補正の内容】
【０００９】
本発明のデータ処理装置および方法、並びに記録媒体のプログラムにおいては、入力データ、及び入力データに対する出力データが評価され、評価に基づき、出力データが時間の経過とともに改善されるように入力データを処理する処理方式が実時間で学習され、学習された処理方式に従って、入力データが適応的に処理され、出力データが出力され、処理された入力データである注目入力データより時間的に先行する入力データである先行入力データが、注目入力データに対する出力データである注目出力データ、及び注目出力データに対する評価に基づいて処理されることにより、先行入力データに対する出力データである先行出力データが出力される。
【手続補正８】
【補正対象書類名】明細書
【補正対象項目名】００１１
【補正方法】変更
【補正の内容】
【００１１】
請求項１に記載のデータ処理装置は、入力データ、及び入力データに対する出力データを評価し、評価に基づき、出力データが時間の経過とともに改善されるように入力データを処理する処理方式を実時間で学習する実時間学習手段（例えば、図７に示す実時間学習部１など）と、実時間学習手段が学習した処理方式に従って、入力データを適応的に処理し、出力データを出力するデータ処理手段（例えば、図７に示す信号処理部２など）とを有する第１の処理手段（例えば、図１５に示すＮＲ部５２f1や、５２f2、５２f3など）と、第１の処理手段が処理した入力データである注目入力データより時間的に先行する入力データである先行入力データを、注目入力データに対する出力データである注目出力データ、及び注目出力データに対する評価に基づいて処理することにより、先行入力データに対する出力データである先行出力データを出力する第２の処理手段（例えば、図１５に示すＮＲ部５２r1や５２r2など）とを備える。
【手続補正９】
【補正対象書類名】明細書
【補正対象項目名】００１２
【補正方法】変更
【補正の内容】
【００１２】
請求項２に記載のデータ処理装置は、時系列に入力される入力データを所定数のみ記憶する入力データ記憶手段（例えば、図７に示すラッチ回路１１1乃至１１4など）をさらに備える。
【手続補正１０】
【補正対象書類名】明細書
【補正対象項目名】００１３
【補正方法】変更
【補正の内容】
【００１３】
請求項７に記載のデータ処理装置は、データ処理手段（例えば、図７に示す演算器２４など）は、出力データが、現在の入力データとを加算することにより、現在の入力データに対する出力データを求める。
【手続補正１１】
【補正対象書類名】明細書
【補正対象項目名】００１４
【補正方法】変更
【補正の内容】
【００１４】
請求項９に記載のデータ処理装置は、第２の処理手段が、先行入力データを評価すると共に、注目出力データの評価に基づいて、先行出力データを評価し、評価に基づき先行出力データが時間の経過と共に改善されるように、先行入力データを処理する処理方式を、実時間で学習するfurther実時間学習手段（例えば、図７に示す実時間学習部１など）と、further実時間学習手段が学習した処理方式に従って、先行入力データを適応的に処理し、先行出力データを出力するfurtherデータ処理手段（例えば、図７に示す信号処理部２など）とを備える。
【手続補正１２】
【補正対象書類名】明細書
【補正対象項目名】０１８３
【補正方法】変更
【補正の内容】
【０１８３】
【発明の効果】
以上の如く、本発明のデータ処理装置、データ処理方法、および記録媒体のプログラムによれば、例えば、入力データに含まれるノイズを、効果的に除去すること等が可能となる。